(57)【要約】【課題】  接続する一対のプリント配線板間の大きなずれを吸収でき、コネクタ嵌合時にずれを吸収する可撓導体が局部的に過度に変形することがなく、信頼性の高い導通を確保できるプラグコネクタを提供する。【解決手段】  プラグコネクタ１は、第１のプリント配線板５１に固定される固定ハウジング３と、該固定ハウジング３に複数の細長い屈曲可能な可撓導体４を介して連結された可動ハウジング５とを有している。可撓導体４は、中間部４３がＳ字状に折り曲げられており、コネクタ嵌合作業中、固定ハウジング３と可動ハウジング５との離間幅を狭めた際に屈曲して固定ハウジング３に当接する衝撃吸収部（第２屈曲部）４５を備えている。【選択図】      図５
2006286296.tif 000002
【特許請求の範囲】
【請求項１】
第１のプリント配線板に固定される固定ハウジングと、複数の細長い屈曲可能な可撓導体を介して前記固定ハウジングから離間した状態で当該固定ハウジングに連結された可動ハウジングと、前記可撓導体の一端側に連続して設けられ、かつ前記固定ハウジングに並列して収容固定され、前記第１のプリント配線板に接続される複数の接続脚と、前記可撓導体の他端側に設けられ、前記可動ハウジングに並列して収容固定されているプラグコンタクトとを有するプラグコネクタであって、
前記可撓導体は、前記固定ハウジングと前記可動ハウジングとの離間幅を狭めた際に屈曲して前記固定ハウジングに接触する衝撃吸収部を備えていることを特徴とするプラグコネクタ。
【請求項２】
前記複数の可撓導体はそれぞれ、前記複数の接続脚とそれぞれ接続される第１端部と、前記複数のプラグコンタクトとそれぞれ接続される第２端部と、前記第１端部及び前記第２端部を接続する中間部とを備え、
前記第１端部と前記第２端部とは互いに逆向きの方向に延び、前記中間部は前記第１端部側に設けられ略Ｕ字状に屈曲した第１屈曲部と、前記第２端部側に設けられ略Ｕ字状に屈曲した第２屈曲部とを有する略Ｓ字状であり、
前記衝撃吸収部は前記中間部の第２屈曲部であることを特徴とする請求項１記載のプラグコネクタ。
【請求項３】
前記中間部の前記第１屈曲部の頂点から前記第２屈曲部の頂点までの距離が、前記中間部の前記第１屈曲部の頂点から前記固定ハウジングの上面までの距離より長いことを特徴とする請求項２記載のプラグコネクタ。
【請求項４】
前記中間部の前記第２屈曲部の頂点は、前記第１のプリント配線板に固定される前記固定ハウジングの底面の表面よりも上面に位置することを特徴とする請求項２又は３記載のプラグコネクタ。
【請求項５】
前記第１端部の略中間に第３屈曲部が設けられ、さらに前記第２端部の略中間に第４屈曲部が設けられていることを特徴とする請求項２ないし４のいずれかに記載のプラグコネクタ。
【請求項６】
請求項１ないし５のいずれかに記載のプラグコネクタと、
前記プラグコンタクトと嵌合される複数のリセプタクルコンタクトを収容して第２のプリント配線板に固定されるリセプタクルハウジングを有するプラグコネクタと、を備えているずれ吸収プリント配線板接続用コネクタ。
【発明の詳細な説明】
【技術分野】
【０００１】
本発明は、一対のプリント配線板間を相互に接続するためのプラグコネクタに関するものである。
【背景技術】
【０００２】
プリント配線板接続用コネクタのプラグコネクタとして、第１のプリント配線板に固定される固定ハウジングと、複数の細長い屈曲可能な可撓導体を介して前記固定ハウジングから離間した状態で当該固定ハウジングに連結された可動ハウジングと、前記可撓導体の一端側に連続して設けられ、かつ前記固定ハウジングに並列して収容固定され、前記第１のプリント配線板に接続される複数の接続脚と、前記可撓導体の他端側に設けられ、前記可動ハウジングに並列して収容固定されているプラグコンタクトとを有するものは、例えば特許文献１に記載のものが知られている。
【０００３】
上記従来のプラグコネクタは、位置ずれを吸収できる機能を備えているけれども、位置ずれを吸収できる範囲が限定されていて、位置ずれが大きい場合、特に接続するプリント配線板の高さ方向及び／又は横方向の離間距離が大きい場合には対応できなかった。
【０００４】
一方、このようなプラグコネクタの前記可撓導体を長くし、前記固定ハウジングと前記可動ハウジングとの離間幅を大きくしてずれ吸収機能を高めようとする場合、コネクタの嵌合作業中、誤って前記可動ハウジングに大きな力が加わると、前記可撓導体の前記固定ハウジングからの立ち上がり部分が過度に変形し、確実な導通を確保できないおそれがある。
【特許文献１】実公平６−１６４２９号公報
【発明の開示】
【発明が解決しようとする課題】
【０００５】
本発明は、基本的には上記特許文献１に開示されているプリント配線板接続用コネクタにおけるプラグコネクタを改良したものであり、接続する一対のプリント配線板間の高さ方向、横方向の大きなずれを吸収でき、コネクタ嵌合作業時に、ずれを吸収する前記可撓導体が局部的に過度に変形することを効果的に防止して、信頼性の高い導通を確保することができるプラグコネクタを提供することを目的としている。
【課題を解決するための手段】
【０００６】
上記目的を達成するために、本発明は、第１のプリント配線板に固定される固定ハウジングと、複数の細長い屈曲可能な可撓導体を介して前記固定ハウジングから離間した状態で当該固定ハウジングに連結された可動ハウジングと、前記可撓導体の一端側に連続して設けられ、かつ前記固定ハウジングに並列して収容固定され、前記第１のプリント配線板に接続される複数の接続脚と、前記可撓導体の他端側に設けられ、前記可動ハウジングに並列して収容固定されているプラグコンタクトとを有するプラグコネクタであって、前記可撓導体は、前記固定ハウジングと前記可動ハウジングとの離間幅を狭めた際に屈曲して前記固定ハウジングに接触する衝撃吸収部を備えていることを特徴とするプラグコネクタである。
【０００７】
前記複数の可撓導体はそれぞれ、前記複数の接続脚とそれぞれ接続される第１端部と、前記複数のプラグコンタクトとそれぞれ接続される第２端部と、前記第１端部及び前記第２端部を接続する中間部と、を備え、前記第１端部と前記第２端部とは互いに逆向きの方向に延び、前記中間部は前記第１端部側に設けられ略Ｕ字状に屈曲した第１屈曲部と、前記第２端部がわに設けられた略Ｕ字状に屈曲した第２屈曲部とを有する略Ｓ字状であり、前記衝撃吸収部は前記中間部の第２屈曲部であることを特徴とする。
【０００８】
また、前記中間部の前記第１屈曲部の頂点から前記第２屈曲部の頂点までの距離が、前記中間部の前記第１屈曲部の頂点から前記固定ハウジングの上面までの距離より長いことを特徴とする。
【０００９】
前記中間部の前記第２屈曲部の頂点は、前記第１のプリント配線板に固定される前記固定ハウジングの底面の表面よりも上面に位置することを特徴とする。
【００１０】
また、前記第１端部の略中間に第３屈曲部が設けられ、さらに前記第２端部の略中間に第４屈曲部が設けられていることを特徴とする。
【００１１】
上記構成のプラグコネクタと、前記プラグコンタクトと嵌合される複数のリセプタクルコンタクトを収容して第２のプリント配線板に固定されるリセプタクルハウジングを有するリセプタクルコネクタとによって、ずれ吸収プリント配線板接続用コネクタが構成される。
【発明の効果】
【００１２】
請求項１に係る発明によれば、セットメーカーにおいてコネクタの嵌合作業中、誤って前記プラグコネクタに水平方向の大きい力を加えてしまっても、前記衝撃吸収部が前記固定ハウジングに接触するので、前記可撓導体の前記固定ハウジングからの立ち上がり部分が過度に変形することを防止できる。特に、該立ち上がり部分は過変形に最も弱い部分であるから、前記衝撃吸収部により前記可撓導体ひいてはプラグコネクタの損傷を防止して、信頼性の高い導通接続が確保できる。
【００１３】
請求項２及び３に係る発明によれば、前記複数の可撓導体がそれぞれ、略Ｓ字状に屈曲され、前記衝撃吸収部がＳ字状に屈曲した前記複数の可撓導体の前記中間部の前記第２屈曲部により形成されているので、相当の強度と適度の弾性を有し、衝撃吸収部として好適である。また、該衝撃吸収部が前記固定ハウジングに対して斜めに当接する場合でも、先ず数本以上の可撓導体の前記第２屈曲部が当接し、次に中央寄りの多くの可撓導体の前記第２屈曲部が当接するような挙動を呈し、不測に強い力で水平方向に変形させた場合でも、十分に衝撃を吸収することができる。
【００１４】
さらに、大きくＳ字状に曲げられた複数の屈曲部により、ずれ吸収量を大きくすることができるので、一種類のプラグコネクタをプリント配線板間の離間距離が異なる種々のプリント配線板用コネクタに共用することが可能となり、使用、取扱い上も有利である。
【００１５】
請求項４に係る発明によれば、前記衝撃吸収部を形成する前記可撓導体の前記第２屈曲部が、コネクタ嵌合作業中に前記第１のプリント配線板に干渉するおそれがなく、前記可撓導体の屈曲、変形と衝撃吸収作用がスムーズに行なわれる。
【００１６】
請求項５に係る発明によれば、前記第１のプリント配線板に前記固定ハウジングを固定したときに、前記プラグコネクタの前記複数の可撓導体と前記可動ハウジングが垂直に立ち上がった姿勢をとるので、コネクタ嵌合のため前記可動ハウジングを前記リセプタクルコネクタ側へ倒す際、該可動ハウジングの嵌合面が前記リセプタクルコネクタに対して嵌合させ易い傾斜角度を確保することができる。
【発明を実施するための最良の形態】
【００１７】
以下、本発明の実施の形態を図面に基づいて説明する。
【００１８】
図１、図２は、本発明に係るプラグコネクタ１を示しており、該プラグコネクタ１と、図３、図４に示すリセプタクルコネクタ２とでプリント配線板接続用コネクタが構成される。
【００１９】
プラグコネクタ１は、第１のプリント配線板５１（図５参照）に固定される固定ハウジング３と、該固定ハウジング３に複数の細長い屈曲可能な可撓導体４を介して連結された可動ハウジング５とを有している。固定ハウジング３と可動ハウジング５はＰＰＳ樹脂等の耐熱性、絶縁性合成樹脂材料により輪郭形状が横長の直方体に成形されている。
【００２０】
可撓導体４はリン青銅の薄板を打抜き加工して形成され、一端側には接続脚６とその係止片７が設けられ、他端側には平板状のプラグコンタクト８が設けられ、該プラグコンタクト８には係止用ランス９が打ち出し加工されている。プラグコネクタ１の極数に対応する多数の可撓導体４が横方向に所定間隔を隔てて並列した状態で絶縁性テープ１０により表裏両側から挟持固定して帯状体の可撓導体群４０として形成されている。そして、各可撓導体４の接続脚６が固定ハウジング３に横方向へ一定間隔を隔てて設けられた収容部１１に個別的に離隔して、かつ貫通状態に収容して、係止片７を介して係止保持されると共に、平板状のプラグコンタクト８が可動ハウジング５に横方向へ一定間隔を隔てて設けたスリット状収容部１２に個別的に離隔して収容され、ランス９を介してスリット状収容部１２に係止保持することによって、固定ハウジング３と可動ハウジング５が帯状体の可撓導体群４０を介して連結されている。
【００２１】
各可撓導体４は、接続脚６に接続される第１端部４１と、プラグコンタクト８に接続される第２端部４２と、第１端部４１と第２端部４２を接続する中間部４３とを備え、第１端部４１と第２端部４２とは互いに逆向きの方向に延びている。中間部４３は、第１端部４１側に設けられ略Ｕ字状に屈曲した第１屈曲部４４と、第２端部４２側に設けられ略Ｕ字状に屈曲した第２屈曲部４５とを有する略Ｓ字状に折り曲げられている。さらに、第１端部４１の略中間に略直角に曲げられた第３屈曲部４６が設けられ、第２端部４２の略中間に略直角に曲げられた第４屈曲部４７が設けられている。そして、図５（ａ）に示すように、コネクタ嵌合作業中、第１のプリント配線板５１に固定された固定ハウジング３と可動ハウジング５との離間幅を狭めた際に屈曲して固定ハウジング３に接触する衝撃吸収部が第２屈曲部４５により形成される。また、図５（ｂ）に示すように、固定ハウジング３が第１のプリント配線板５１に固定される実装時に、中間部４３の第１屈曲部４４の頂点から第２屈曲部４５の頂点までの距離Ｌ３が、中間部４３の第１屈曲部４４の頂点から固定ハウジング３の上面までの距離Ｌ１より長くなっており、さらに距離Ｌ３が、中間部４３の第１屈曲部４４の頂点から第１のプリント配線板５１の表面までの距離Ｌ２より短くなっている。
【００２２】
可撓導体４をこのような寸法関係に設定することで、コネクタ嵌合時に、可撓導体４の第２屈曲部４５が、第１のプリント配線板５１の表面より上方で、かつ固定ハウジング３の上面より下方に位置するので、可撓導体４が第１のプリント配線板５１に干渉することなく自由な屈曲、変形を許容され、可動ハウジング５のリセプタクルコネクタ２に対する嵌合作業がスムーズに行なえる。しかも、嵌合作業中に、作業者が誤って可動ハウジング５に固定ハウジング３側へ水平方向の大きい力を加えてしまっても、衝撃吸収部となる第２屈曲部４５が固定ハウジング３に当接するので、可撓導体４の固定ハウジング３からの立ち上がり部分である接続脚６と第１端部４１との接続部位４１Ａが過度に変形することを防止できる。この接続部位４１Ａは過変形に最も弱い部分であるから、可撓導体４の折損を防止して、信頼性の高い導通接続が確保される。さらに、可撓導体４が大きくＳ字状に曲げられた複数の屈曲部４４〜４７により、ずれ吸収量が大きくなっているので、一種類のプラグコネクタ１を離間距離が異なる種々のプリント配線板間の接続に共通して採用することが可能である。
【００２３】
リセプタクルコネクタ２は、図３、図４に示すように、ＰＰＳ樹脂等の耐熱性、絶縁性合成樹脂材料により輪郭形状が横長の直方体に成形されたリセプタクルハウジング２２を有している。該リセプタクルハウジング２２は、前面と上面が開放されていて、底部２３と両側壁２４，２４及び後側壁２５により画定されている。底部２３上面に多数の隔壁２６が横方向に並列して突設され、各隔壁２６の間にプラグコンタクト８が嵌合するスリット２７が形成されている。各スリット２７を横切って相対する隔壁２６，２６から底部２３を貫通するコンタクト収容孔２８が千鳥状に配列して設けられ、該コンタクト収容孔２８にリセプタクルコンタクト２９が個別的に離隔して収容されている。リセプタクルコンタクト２９は、リン青銅の薄板を打抜き加工して形成され、スリット２７を横切って配設される二股のフォーク形状の接触部３０と、その基端に連設され、底部２３を貫通して前後方向へ延出する接続脚３１とを有している。
【００２４】
図５は、上記のような構成を有するプラグコネクタ１とリセプタクルコネクタ２を用いて、第１のプリント配線板５１と第２のプリント配線板５２を相互に接続した使用例を示しており、（ａ）は第１のプリント配線板５１と第２のプリント配線板５２が、高さ方向及び横方向に離間して配置された使用例で、（ｂ）は水平方向に離間して配置された使用例である。
【００２５】
第１のプリント配線板５１には、プラグコネクタ１の固定ハウジング３に貫通状態に収容して保持された各可撓導体４の接続脚６を回路パターン（図示せず）にはんだ付けして、電気的に接続すると共に、固定ハウジング３が固定される。このとき、プラグコネクタ１の可撓導体群４０と可動ハウジング５が、図２に示すように垂直に立ち上がった姿勢をとる。一方、第２のプリント配線板５２には、リセプタクルコネクタ２のハウジング２２の底面に延出したリセプタクルコンタクト２９の接続脚３１を回路パターン（図示せず）にはんだ付けして電気的に接続すると共に、補強金具３７もはんだ付けして、リセプタクルハウジング２２が固定される。
【００２６】
そして、プラグコネクタ１の可動ハウジング５をリセプタクルコネクタ２側へ倒してリセプタクルハウジング２２に嵌合させる際、作業者が誤って可動ハウジング５に水平方向の大きな力を加えてしまうことがあっても、図５（ａ）のように、衝撃吸収部となる第２屈曲部４５が固定ハウジング３に当接するので、可撓導体４の固定ハウジング３からの立ち上がり部分である接続部位４１Ａを過度に変形させるおそれがない。しかも、前述のように第２屈曲部４５が、第１のプリント配線板５１の表面より上方で、かつ固定ハウジング３の上面より下方に位置するので、可撓導体４が第１のプリント配線板５１に干渉することなく自由な屈曲、変形を許容され、位置ずれをスムーズに吸収させることができる。そして、可動ハウジング５がリセプタクルハウジング２２に嵌合すると、プラグコンタクト８がリセプタクルコンタクト２９のフォーク状接触部３０に嵌合接続して、両プリント配線板５１，５２が可撓導体群４０を介して電気的に導通接続される。
【００２７】
上記した実施の形態では、コネクタ嵌合作業中、固定ハウジング３に当接する衝撃吸収部を可撓導体４の第２屈曲部４５で構成したが、該衝撃吸収部として、可撓導体４に固着した成形物、絶縁テープ、あるいはチューブのような軟質材に突起部を設け、該突起部を固定ハウジング３に当接させるようにしてもよい。
【図面の簡単な説明】
【００２８】
【図１】本発明に係るプラグコネクタの正面図である。
【図２】図１の２−２線に沿う拡大断面図である。
【図３】本発明に係るプラグコネクタと共にプリント配線板接続用コネクタを構成するリセプタクルコネクタの一部切欠き正面図である。
【図４】同上リセプタクルコネクタの平面図である。
【図５】本発明に係るプラグコネクタの使用例を示す説明図である。
【符号の説明】
【００２９】
１  プラグコネクタ
２  リセプタクルコネクタ
３  固定ハウジング
４  可撓導体
５  可動ハウジング
６  接続脚
８  プラグコンタクト
１０  絶縁性テープ
２２  リセプタクルハウジング
２９  リセプタクルコンタクト
３０  フォーク状接触部
３１  接続脚
４０  帯状体の可撓導体群
４１  第１端部
４１Ａ  接続部位
４２  第２端部
４３  中間部
４４  第１屈曲部
４５  第２屈曲部（衝撃吸収部）
４６  第３屈曲部
４７  第４屈曲部
５１  第１のプリント配線板
５２  第２のプリント配線板
【図１】
2006286296.tif 000003
【図２】
2006286296.tif 000004
【図３】
2006286296.tif 000005
【図４】
2006286296.tif 000006
【図５】
2006286296.tif 000007